(57)【要約】  ゴルフツールデバイスと、これらのデバイスがそのグリップに取り付けられるか、または組み込まれたゴルフクラブとが、開示される。いくつかの実施形態では、ゴルフツールデバイスは、ハウジングと、ハウジングに取り付けられたツールアセンブリとを含む。ツールアセンブリは、ベースジョーと、ベースジョーに枢動可能に接続されたグリッパジョーとを含む。ツールアセンブリはさらに、グリッパジョーに接続され、グリッパジョーをベースジョーに向けて付勢するように構成されたばねを含む。ゴルフツールデバイスはさらに、グリッパジョーの作動を少なくとも２つのモード間で選択的に切り替えるように構成されたモードセレクタアセンブリを含む。少なくとも２つのモードは、グリッパジョーがばねの付勢に応答して移動する第１のモードと、グリッパジョーが、ばねの付勢に抗ってベースジョーから離間した第１の位置に固定される、第２のモードとを含む。【選択図】図４
2021503362.tif 000002
【特許請求の範囲】
【請求項１】
ゴルフツールデバイスであって、
ハウジングと、
前記ハウジングに取り付けられたツールアセンブリであって、
ベースジョーと、
前記ベースジョーに枢動可能に接続されたグリッパジョーと、
前記グリッパジョーに接続され、前記グリッパジョーを前記ベースジョーに向けて付勢するように構成されたばねと
を含むツールアセンブリと、
モードセレクタアセンブリであって、前記グリッパジョーの作動を、
前記グリッパジョーがばねの付勢に応答して移動する第１のモードと、
前記グリッパジョーが、前記ばねの付勢に抗って前記ベースジョーから離間した第１の位置に固定される、第２のモードと
を含む少なくとも２つのモード間で選択的に切り替えるように構成される、モードセレクタアセンブリと
を備える、ゴルフツールデバイス。
【請求項２】
前記モードセレクタアセンブリが、前記ばねの付勢に抗って前記グリッパジョーを前記ベースジョーから離れるように手動で枢動させることにより、前記グリッパジョーの作動を前記第１のモードから前記第２のモードに切り替えるように構成される、請求項１に記載のゴルフツールデバイス。
【請求項３】
前記モードセレクタアセンブリが、前記グリッパジョーを前記ベースジョーに向けて手動で枢動させることにより、前記グリッパジョーの作動を前記第２のモードから前記第１のモードに切り替えるように構成される、請求項２に記載のゴルフツールデバイス。
【請求項４】
前記ツールアセンブリが、前記ハウジングに移動可能に取り付けられ、前記ツールアセンブリの少なくともかなりの部分が前記ハウジングによって囲まれる後退位置と、前記ツールアセンブリの少なくともかなりの部分が前記ハウジングの外部にある拡張位置との間で移動するように構成される、請求項１に記載のゴルフツールデバイス。
【請求項５】
前記モードセレクタアセンブリが、
前記グリッパジョーに枢動可能に接続された戻り止めスライドであって、複数の壁によって分離された複数の凹部を有する、戻り止めスライドと、
前記ベースジョーに固定して取り付けられたケースと、
前記ケース内に受け入れられたケースばねと、
第１および第２の端部を有する突出部材であって、前記第１の端部は前記ケース内に受け入れられ、前記第２の端部は、前記ケースの外部にあり、前記複数の凹部の１つの凹部内に選択的に受け入れられ、前記ケースばねは、前記突出部材の前記第２の端部を前記凹部に向けて付勢するように構成される、突出部材と
を含む、請求項１に記載のゴルフツールデバイス。
【請求項６】
前記複数の凹部が、少なくとも１つの壁によって分離された第１の凹部および第２の凹部を含み、前記突出部材の前記第２の端部が前記第１の凹部内に受け入れられたとき、前記グリッパジョーは前記第１のモードで作動し、前記突出部材の前記第２の端部が前記第２の凹部内に受け入れられたとき、前記グリッパジョーは、前記第２のモードで作動し、前記少なくとも１つの壁は、前記ベースジョーに向けた前記グリッパジョーの手動移動無しに、前記突出部材の前記第２の端部が前記第１の凹部まで移動することを防止する、請求項５に記載のゴルフツールデバイス。
【請求項７】
前記グリッパジョーを前記ベースジョーに向けて手動で移動させることにより、前記突出部材の前記第２の端部は前記少なくとも１つの壁を越えて前記第１の凹部内に移動される、請求項６に記載のゴルフツールデバイス。
【請求項８】
前記ベースジョーが、少なくとも１つのタインを有するディボットツールを含む、請求項１に記載のゴルフツールデバイス。
【請求項９】
前記グリッパジョーが、第３のモードで作動可能であり、前記第３のモードでは、前記グリッパジョーは、前記ばねの付勢に抗って前記ベースジョーから離間した第２の位置に固定され、前記グリッパジョーは、前記第２の位置では、前記第１の位置と比較して前記ベースジョーからより離間される、請求項８に記載のゴルフツールデバイス。
【請求項１０】
前記グリッパジョーに枢動可能に接続された戻り止めスライドであって、複数の壁によって分離された複数の凹部を有する、戻り止めスライドと、
前記ベースジョーに固定して取り付けられたケースと、
前記ケース内に受け入れられたケースばねと、
第１および第２の端部を有する突出部材であって、前記第１の端部は、前記ケース内に受け入れられ、前記第２の端部は、前記ケースの外部にあり、前記複数の凹部の１つの凹部内に選択的に受け入れられ、前記ケースばねは、前記突出部材の前記第２の端部を前記凹部に向けて付勢するように構成され、前記複数の凹部は、第１および第３の凹部と、前記第１の凹部と第３の凹部との間に配設された第２の凹部とを含み、前記第１、第２および第３の凹部のそれぞれは、１つまたは複数の壁によって前記第１、第２および第３の凹部の他の１つから分離される、突出部材と
を更に備える、請求項９に記載のゴルフツールデバイス。
【請求項１１】
前記突出部材の前記第２の端部が前記第１の凹部内に受け入れられたとき、前記グリッパジョーは前記第１のモードで作動し、前記突出部材の前記第２の端部が前記第２の凹部内に受け入れられたとき、前記グリッパジョーは、前記第２のモードで作動し、前記１つまたは複数の壁の１つの壁は、前記ベースジョーに向けた前記グリッパジョーの手動移動無しに、前記突出部材の前記第２の端部が前記第１の凹部まで移動することを防止し、前記突出部材の前記第２の端部が前記第３の凹部内に受け入れられたとき、前記グリッパジョーは、前記第３のモードで作動し、前記１つまたは複数の壁の１つの壁は、前記ベースジョーに向けた前記グリッパジョーの手動移動無しに、前記突出部材の前記第２の端部が前記第２の凹部まで移動することを防止する、請求項１０に記載のゴルフツールデバイス。
【請求項１２】
前記突出部材の前記第２の端部が前記第３の凹部内に受け入れられたとき、前記グリッパジョーを前記ベースジョーに向けて手動で移動させることにより、前記突出部材の前記第２の端部は、前記第２の凹部と第３の凹部との間の壁を越えて、前記第２の凹部内に移動される、請求項１１に記載のゴルフツールデバイス。
【請求項１３】
前記グリッパジョーを前記ベースジョーに向けて手動でさらに移動させることにより、前記突出部材の前記第２の端部は、前記第１の凹部と第２の凹部との間の壁を越えて前記第１の凹部内に移動される、請求項１２に記載のゴルフツールデバイス。
【請求項１４】
前記グリッパジョーが、少なくとも１つのボールマーカを取り外し可能に受け入れるように構成されたスロットを含む、請求項１に記載のゴルフツールデバイス。
【請求項１５】
前記グリッパジョーが、前記少なくとも１つのボールマーカの１つのボールマーカの一部のみを受け入れるように構成された開口を含む、請求項１４に記載のゴルフツールデバイス。
【請求項１６】
前記ボールマーカが金属製であり、前記グリッパジョーの端部が、前記ボールマーカを引き付けるように構成された少なくとも１つの磁石を含む、請求項１５に記載のゴルフツールデバイス。
【請求項１７】
ゴルフクラブであって、
グリップと、
反対側の第１および第２の端部を有するシャフトであって、前記第１の端部は、前記グリップ内に受け入れられる、シャフトと、
前記シャフトの前記第２の端部に取り付けられたクラブヘッドと、
前記グリップに取り付けられるか、または組み込まれたツールアセンブリであって、
ベースジョーと、
前記ベースジョーに枢動可能に接続されたグリッパジョーと、
前記グリッパジョーに接続され、前記グリッパジョーを前記ベースジョーに向けて付勢するように構成されたばねと
を含む、ツールアセンブリと、
モードセレクタアセンブリであって、前記グリッパジョーの作動を、
前記グリッパジョーが前記ばねの付勢に応答して前記ベースジョーに対して移動する第１のモードと、
前記グリッパジョーが、前記ばねの付勢に抗って前記ベースジョーから離間した第１の位置に固定される、第２のモードと
を含む少なくとも２つのモード間で選択的に切り替えるように構成される、モードセレクタアセンブリと
を備える、ゴルフクラブ。
【請求項１８】
前記ツールアセンブリが、前記グリップに摺動可能に取り付けられ、前記ツールアセンブリの少なくともかなりの部分が前記グリップによって囲まれる後退位置と、前記ツールアセンブリの少なくともかなりの部分が前記グリップの外部にある拡張位置との間で移動するように構成される、請求項１７に記載のゴルフクラブ。
【請求項１９】
前記グリッパジョーが、少なくとも１つのボールマーカを取り外し可能に受け入れるように構成されたスロットを含み、前記グリップが、前記ツールアセンブリが前記後退位置にあるときにユーザが前記スロットにアクセスすることを可能にするサイズの開口を含む、請求項１８に記載のゴルフクラブ。
【請求項２０】
ゴルフツールデバイスであって、
ハウジングと、
前記ハウジングに取り付けられたツールアセンブリであって、
ベースジョーと、
前記ベースジョーに枢動可能に接続されたグリッパジョーと、
前記グリッパジョーに接続され、前記グリッパジョーを前記ベースジョーに向けて付勢するように構成されたばねと
を含む、ツールアセンブリと、
前記グリッパジョーを、
前記グリッパジョーが前記ばねの付勢に応答して前記ベースジョーに対して移動する第１のモードと、
前記グリッパジョーが、前記ばねの付勢に抗って前記ベースジョーから離間した位置に固定される、第２のモードと
を含む少なくとも２つのモード間で切り替えるための手段と
を備える、ゴルフツールデバイス。
【発明の詳細な説明】
【関連出願の相互参照】
【０００１】
本出願は、（１）２０１８年５月１０日に提出された、「Ｇｏｌｆ  Ｃｌｕｂ  Ｇｒｉｐ  Ｔｏｏｌ  Ａｓｓｅｍｂｌｙ」というタイトルの米国仮特許出願第６２／６６９，８１７号明細書、（２）２０１８年３月３０日に提出された、「Ｇｏｌｆ  Ｃｌｕｂ  Ｇｒｉｐ  Ｔｏｏｌ  Ａｓｓｅｍｂｌｙ」というタイトルの米国仮特許出願第６２／６５０，９６２号明細書、（３）２０１８年２月２０日に提出された、「Ｇｏｌｆ  Ｃｌｕｂ  Ｇｒｉｐ  Ｔｏｏｌ  Ａｓｓｅｍｂｌｙ」というタイトルの米国仮特許出願第６２／６３３，００１号明細書、および（４）２０１７年１１月２０日に提出された、「Ｇｏｌｆ  Ｃｌｕｂ  Ｇｒｉｐ  Ｔｏｏｌ  Ａｓｓｅｍｂｌｙ」といタイトルの米国仮特許出願第６２／５８８，８５９号明細書の利益を主張するものである。上記の出願の完全な開示は、あらゆる目的で参照により本明細書に組み込まれる。
【技術分野】
【０００２】
本開示は、ゴルフ用具に関する。より詳細には、開示する実施形態は、ゴルフクラブのグリップなどのグリップに取り付けられるか、または一体化され得るゴルフツールデバイスに関する。
【背景技術】
【０００３】
ゴルファは、通常のプレイ中に複数のゴルフアクセサリーまたはツールを使用し得る。例えば、ゴルファは「ディボットツール」またはボールマーク修復ツールを使用してグリーン上のボールマークを修復するか、またはボールマーカを使用してボールを別のゴルファの邪魔にならない場所に移動する前にボールの位置を特定することができる。このようなツールを使用するか、またはさらにボールを置くか、もしくは取り出すことにより、通常、ゴルファは地面に向けて腰を曲げるか、またはかかむことが必要となり、したがって、特に背中、腰、膝の病気またはその他の健康上の問題があるゴルファにとっては、疲れたり痛みを伴うことがある。さらに、いくつかの個別の用具を携行すると、ゴルファは用具を忘れるか、または紛失し、コースで必要となったときに初めて道具がなくなっていることに気付くことがある。コースに用具がないと、ゴルファ、共にプレイしているゴルファ、および／または後方で待っているゴルファに不便を与える可能性がある。
【発明の概要】
【０００４】
本開示は、ゴルフクラブのグリップに組み込むか、またはゴルフクラブのグリップに取り付けるのに適したゴルフツールデバイスに関するシステムおよび装置を提供する。いくつかの実施形態では、ゴルフツールデバイスは、ハウジングと、ハウジングに取り付けられたツールアセンブリとを含む。ツールアセンブリは、ベースジョーと、ベースジョーに枢動可能に接続されたグリッパジョーとを含む。ツールアセンブリはさらに、グリッパジョーに接続され、グリッパジョーをベースジョーに向けて付勢するように構成されたばねを含む。ゴルフツールデバイスはさらに、グリッパジョーの作動を少なくとも２つのモード間で選択的に切り替えるように構成されたモードセレクタアセンブリを含む。少なくとも２つのモードは、グリッパジョーがばねの付勢に応答して移動する第１のモードと、グリッパジョーが、ばねの付勢に抗ってベースジョーから離間した第１の位置に固定される、第２のモードとを含む。
【０００５】
いくつかの実施形態では、ゴルフツールデバイスは、ハウジングと、ハウジングに取り付けられたツールアセンブリとを含む。ツールアセンブリは、ベースジョーと、ベースジョーに枢動可能に接続されたグリッパジョーとを含む。ツールアセンブリはさらに、グリッパジョーに接続され、グリッパジョーをベースジョーに向けて付勢するように構成されたばねを含む。ゴルフツールデバイスはさらに、グリッパジョーを少なくとも２つのモード間で切り替えるための手段を含む。少なくとも２つのモードは、グリッパジョーがばねの付勢に応答してベースジョーに対して移動する第１のモードと、グリッパジョーが、ばねの付勢に抗ってベースジョーから離間した位置に固定される、第２のモードとを含む。
【０００６】
いくつかの実施形態は、グリップと、反対側の第１および第２の端部を有するシャフトとを含むゴルフクラブを提供する。第１の端部は、グリップ内に受け入れられる。ゴルフクラブはさらに、シャフトの第２の端部に取り付けられたクラブヘッドと、グリップに取り付けられるか、またはグリップに組み込まれたツールアセンブリとを含む。ツールアセンブリは、ベースジョーと、ベースジョーに枢動可能に接続されたグリッパジョーとを含む。ツールアセンブリはさらに、グリッパジョーに接続され、グリッパジョーをベースジョーに向けて付勢するように構成されたばねを含む。ゴルフツールデバイスはさらに、グリッパジョーの作動を少なくとも２つのモード間で選択的に切り替えるように構成されたモードセレクタアセンブリを含む。少なくとも２つのモードは、グリッパジョーがばねの付勢に応答してベースジョーに対して移動する第１のモードと、グリッパジョーが、ばねの付勢に抗ってベースジョーから離間した第１の位置に固定される、第２のモードとを含む。
【０００７】
特徴、機能、および利点は、本開示の様々な実施形態において独立して達成されてよく、またはさらに他の実施形態において組み合わされてもよく、そのさらなる詳細は、以下の説明および図面を参照して見ることができる。
【図面の簡単な説明】
【０００８】
【図１】本開示のゴルフツールデバイスの一例を備えたゴルフクラブの等角図である。
【図２】後退位置にあるツールアセンブリを示す、図１のゴルフツールデバイスの上面図である。
【図３】ツールアセンブリのボールマーカアセンブリの一例を示す、図１のゴルフツールデバイスの底面図である。
【図４】拡張位置にあるツールアセンブリを示す、図１のゴルフツールデバイスの正面図である。
【図５】図４の線５−５に沿って切り取られた図１のゴルフツールデバイスの断面図である。
【図６】ボールマーカアセンブリの別の例を示す、図５のゴルフツールデバイスの部分図である。
【図７】図１のゴルフツールデバイスのツールアセンブリの部分等角図である。
【図８】戻り止めスライドの凹部内に受け入れられた突出部材を示す、図７の線８−８に沿って切り取られた図１のゴルフツールデバイスの部分断面図である。
【図９】ツールアセンブリが最初に拡張位置に移動されたときに戻り止めスライドの凹部内に受け入れられた突出部材を示す、図１のゴルフツールデバイスの部分断面図である。
【図１０】ツールアセンブリのグリッパジョーが移動されてベースジョーから離されたときに戻り止めスライドの別の凹部内に受け入れられた突出部材を示す、図１のゴルフツールデバイスの部分断面図である。
【図１１】グリッパジョーが移動されてベースジョーからさらに離されたときに戻り止めスライドのさらなる凹部内に受け入れられた突出部材を示す。図１のゴルフツールデバイスの部分断面図である。
【図１２】グリッパジョーが移動されてベースジョーからさらにいっそう離れたときに戻り止めスライドの異なる凹部内に受け入れられた突出部材を示す、図１のゴルフツールデバイスの部分断面側面図である。
【図１３】本開示のゴルフツールデバイスの別の例の等角図である。
【図１４】本開示のゴルフツールデバイスのさらなる例を有するゴルフクラブの等角図である。
【図１５】ゴルフボールをピックアップする初期段階における本開示のゴルフツールデバイスの部分図である。
【図１６】表面からゴルフボールをピックアップするか、または表面上にゴルフボールを置くためにゴルフツールデバイスのグリッパジョーとベースジョーとの間にあるゴルフボールを示す、図１５のゴルフツールデバイスの部分図である。
【図１７】ゴルフボールを解放するために、グリッパジョーを表面に押し付けてベースジョーから離すグリッパジョーの手動移動を示す、図１５のゴルフツールデバイスの部分図である。
【図１８】表面上のゴルフボールに隣接するボールマーカの配置を示す、図１５のゴルフツールデバイスの部分図である。
【図１９】ボールマーカのピックアップを示す、図１５のゴルフツールデバイスの部分図である。
【図２０】ユーザがベースジョーを使用して表面を修復できるようにするためにグリッパジョーが移動されてベースジョーから最も離れている、図１５のゴルフツールデバイスの部分図である。
【発明を実施するための形態】
【０００９】
ゴルフクラブのグリップに取り付けられた、または組み込まれたゴルフツールの様々な態様および例を以下に説明し、関連する図面に示す。特に明記しない限り、ゴルフツールデバイスおよび／またはその様々な構成要素は、本明細書に記載し、例示し、および／または組み込む構造、構成要素、機能、および／またはバリエーションの少なくとも１つを含むことができる。さらに、特に除外されない限り、本教示に関連して本明細書に記載し、例示し、および／または組み込むプロセスステップ、構造、構成要素、機能、および／またはバリエーションは、開示する実施形態間で交換可能であることを含んで、他の同様のデバイスおよび方法に含まれ得る。以下の様々な例の説明は、本質的に単なる例示であり、本開示、その用途、または使用を限定することを意図するものでは決してない。さらに、以下に説明する例および実施形態によって提供される利点は、本質的に例示的なものであり、すべての例および実施形態が同じ利点または同じ程度の利点を提供するわけではない。
【００１０】
概要
通常、ゴルフツールデバイスは、ゴルフのゲームに関連する１つまたは複数のツールまたはアクセサリーを含むことができる。アセンブリは、ゴルフクラブのグリップに組み込まれるか、またはゴルフクラブのグリップに取り付けられる。図１は、例示的なゴルフクラブ３０を示す。ゴルフクラブ３０は、ゴルフボールを打つように構成されたヘッド３２を含む。ヘッド３２は、細長いシャフト３６の下端に接続されている。いくつかの実施形態では、クラブ３０は、パターである。
クラブ３０は、シャフト３６の上端に配設されたグリップ３８を含む。ゴルファは、グリップ３８を握ってクラブ３０を操縦する。グリップ３８は、ゴルファがクラブを保持するのを容易にするために、ゴム、革、または他の適切な材料で形成されたスリーブまたはラッピングを含むことができる。本開示では、グリップ３０は、グリップ３８の上端に配設されたゴルフツールデバイス４０を含む。ゴルフツールデバイス４０は、グリップ３８に一体化されるか、または取り付けられ、１つまたは複数のツールを含むように構成されたハウジング４２を含む。ハウジング４２は、１つまたは複数のツールをそこから延ばすことができる開口部を備えた円筒形に形成され得る。いくつかの実施形態では、ハウジング４２は、グリップ３８の残りの部分の断面形状と同じである断面形状を有する。ハウジング４２は、パターまたは他のクラブの断面形状およびサイズに関する標準ゴルフ規則に適合するように成形され得る。例えば、いくつかの実施形態では、ハウジング４２の断面幅は均一であってもよく、または単調に減少してもよい。サイズは、ゴルフバッグに使用される標準的なチューブライナにクラブを挿入できるように選択され得る。
【００１１】
ゴルフツールデバイス４０は、１つまたは複数のゴルフツールを含む。ゴルフツールデバイスの例示的な実施形態を以下に説明する。通常、ゴルフツールデバイス４０内のツールを使用するために、ゴルファは、ヘッド３２を地面近くにしてクラブ３０を配向して、立っているかまたは座っているゴルファの目の高さ近くにグリップ３８がある状態でツールを調整し、次いで、所望のツールを使用するために、グリップ３８（ひいてはゴルフツールデバイス４０）が地面の近くになるようにクラブ３０を操縦することができる。ゴルフツールデバイス４０は、グリップ３８に組み込まれるか、または一体化されたものとして示され説明されているが、ゴルフツールデバイス（またはその一部）は、既存のグリップ３８に取り付けられ（または接続可能とされ）得る。さらに、クラブ３０はパターのヘッド３２を有するように示されているが、ゴルフツールデバイスは、任意の適切なヘッド（例えば、ウェッジ、ウッド、アイアンなど）を有するゴルフクラブのグリップに組み込まれるか、もしくは取り付けられてもよく、または任意の適切なゴルフアクセサリー（傘、ボールスクーパなど）のグリップもしくは任意の他の構造のグリップに組み込まれるか、または取り付けられてもよい。いくつかの実施形態では、ゴルフツールデバイスは、伸縮ポールなどのポールの第１の端部に取り付けられてもよく、このときそのポールの反対側の第２の端部はグリップを有する。換言すれば、ゴルフツールデバイスは、時に、グリップに取り付けられなくても、または組み込まれなくてもよい。
【００１２】
例、構成要素、代替策
以下のセクションでは、例示的なゴルフツールデバイスの選択された態様と共に、関連するシステムおよび／または方法について説明する。これらのセクションの例は、例示を意図しており、本開示の範囲全体を限定するものとして解釈されるべきではない。各セクションは、１つまたは複数の異なる実施形態または例、および／または文脈的もしくは関連する情報、機能、および／または構造を含む。
【００１３】
Ａ．第１の実例となるゴルフツールデバイス
図２〜図１２は、ゴルフクラブのグリップ１０２に取り付けられるか、または組み込まれた、第１の例示的なゴルフツールデバイス１００を示す。図２〜図１２に示す例では、ゴルフツールデバイス１００は、ハウジング１０４と、セレクタアセンブリ１０６と、ハウジングに取り付けられたツールアセンブリ１０８とを含む。
【００１４】
ハウジング１０４は、ツールアセンブリの少なくとも一部（またはかなりの部分）を含むか、または囲まれるように構成された任意の適切な構造を含む。図２〜１２に示す例では、ハウジング１０４は、開口部１０９と、スロット１１２を有するチャネル１１０と、少なくとも１つの開口１１４と、切欠部１１６とを含む。
【００１５】
図２〜図１２に示す例では、ツールアセンブリ１０８は、ハウジングに移動可能（または摺動可能）に取り付けられて、ツールアセンブリが、図２〜図３に示すようにツールアセンブリの少なくともかなりの部分がハウジングによって囲まれる後退位置と、ツールアセンブリの少なくともかなりの部分が、図４に示すように開口部１０９を通っておよび／またはハウジングの外に移動される拡張位置との間で移動（また摺動）することを可能にする。開口１１４は、ツールアセンブリ１０６の一部（または複数の部分）を露出させて、ツールアセンブリが後退位置にあるときに、ユーザがその部分（または複数の部分）にアクセスできるようにする。例えば、（以下でさらに説明する）ボールマーカアセンブリは、図３に示すように、開口からアクセス可能である。ハウジング１０４は、単一の開口１１４のみを含むように示されているが、ハウジングは、追加的または代替的に、ツールアセンブリの他の部分を露出させるために他の開口を含んでもよい。さらに、ツールアセンブリ１０６は、図２〜図１２に示す例ではハウジングに摺動可能に接続されるように示されるが、ツールアセンブリは、代替的に、ハウジングに枢動可能に接続されてよく、および／または後退位置と拡張位置との間で枢動してもよい。
【００１６】
セレクタアセンブリ１０６は、ツールアセンブリを拡張位置と後退位置との間で移動させるように構成された、ツールアセンブリに取り付けられた任意の適切な構造を含む。図２〜図１２に示す例では、セレクタアセンブリは、セレクタボタン１１８と、セレクタレバー１２０と、セレクタばね１２３とを含む（図５を参照）。セレクタボタン１１８は、ボタンへのユーザアクセスのためにチャネル１１０内に受け入れられる。セレクタレバー１２０は、セレクタボタンが２つの端部のうちの１つに移動されてツールアセンブリを後退位置または拡張位置にロックするときに、切欠部１１６の１つ内に受け入れられる突起部分を含む。セレクタばね１２３は、セレクタレバー１２０を切欠部に向けて付勢し、それにより、突き出た突起部が切欠部内に受け入れられるようにする。ツールアセンブリを移動させるために、セレクタボタン上に下向きの力がかけられる。セレクタボタンはセレクタレバーと係合して、セレクタばねの付勢に抗って突起部を移動させて切欠部の外にし、または切欠部から離し、それによってセレクタボタンおよびツールアセンブリを移動させることができる。
【００１７】
ツールアセンブリ１０８は、ゴルファを支援するように構成された任意の適切な構造を含む。図２〜図１２に示す例では、ツールアセンブリ１０８は、ベース１２４と、ベースジョー１２６と、グリッパジョー１２８と、ツールばね１３０と、モードセレクタアセンブリ１３２とを含む。
【００１８】
ベース１２４は、セレクタアセンブリ１０６に取り付けられ、これにより、セレクタアセンブリは、ベース（およびツールアセンブリ）を後退位置と拡張位置との間で移動させることが可能になる。ベースジョー１２６は、ベース１２４に固定して取り付けられ、ゴルフボールのピックアップを容易にするように構成された任意の適切な形状を有することができる。図２〜図１２に示す例では、ベースジョー１２６は、タイン１３６を有するディボットツール１３４の形態である。ディボットツール１３４は、２つのタインを含むように示されているが、ディボットツールは、単一のタインまたは３つ以上のタインなどの少なくとも１つのタインを含むことができる。
【００１９】
グリッパジョー１２８は、ベース１２４に移動可能または枢動可能に取り付けられ、ベースジョーに対して複数の位置の間を移動するように構成される。グリッパジョーは、（ベースジョーとグリッパジョーとの間などの）ゴルフボールのピックアップを容易にするように構成された任意の適切な形状を有することができる。図２〜図１２に示す例では、グリッパジョー１２８は、タング１３５と、アーチ状表面１３７と、ジョーランプ１３８とを含む。タングにより、ユーザは、ベースジョーとグリッパジョーとの間にあるゴルフボールを押し下げることにより、グリッパジョーを外側に（またはベースジョーから離れるように）移動させてグリッパジョーの作動モードを変更することが可能になる（以下でさらに論じる）。弓状表面は、ゴルフボールの形状に一致または対応しており、グリッパジョーがゴルフボールを部分的に取り囲むことを可能にする（図１６を参照）。ジョーランプ１３８は、ツールアセンブリが拡張位置に移動されているときにハウジング１０４のジョープッシャー１３９に接触して、グリッパジョーを公称位置または初期位置に押し、それにより、グリッパジョーは、ツールアセンブリが拡張位置になるとすぐに使用できるようになる。図２〜図１２に示す例では、グリッパジョーの公称位置または初期位置は、ベースジョーに対して約８〜１２度である。
【００２０】
さらに、グリッパジョー１２８は、１つまたは複数のボールマーカ１４２を格納するためのボールマーカアセンブリ１４０を含む。図５では、ボールマーカアセンブリ１４０は、ボールマーカ保管スロット１４４と、ボールマーカばね１４６と、ボールマーカ配置スロット１４７と、グリッパジョーの端部１５０にあるボールマーカピックアップ磁石１４８とを含む。ボールマーカスロットは１つまたは複数のボールマーカを受け入れ、ボールマーカばねはボールマーカをスロット内に維持する。ボールマーカ配置スロット１４７は、表面上の配置のためのボールマーカの一部（例えば、ボールマーカの半分未満）のみを受け入れる。ボールマーカピックアップ磁石１４８により、ユーザは、グリッパジョー１２８の端部１５０をボールマーカに隣接して（または近接して）配置することにより、前に配置されたボールマーカをピックアップすることが可能になる。あるいは、図６に示すように、ボールマーカアセンブリ１４０は、ボールマーカをボールマーカスロット内に維持するために、保管磁石１５２を含むことができる。
【００２１】
ツールばね１３０は、グリッパジョーがその公称位置または初期位置を超えて外側に（またはベースジョーから離れて）移動されるなどのとき、グリッパジョーをベースジョーに向けて付勢するように構成された任意の適切な構造を含む。図２〜図１２に示す例では、ツールばね１３０は、ベース１２４に載置する第１の端部１５６と、グリッパジョーの開口部１６０内に受け入れられる第２の端部１５８とを有するコイルばね１５４である。ツールばね１３０は、コイルばねの形態であるように示されているが、ツールばねは、代替的に、板ばね、ミュージックワイヤ、および／または他の弾性要素の形態であってもよい。
【００２２】
モードセレクタアセンブリ１３２は、ボールピックアップモードおよびボール配置モードなど、グリッパジョーの少なくとも２つの作動モード間で選択するように構成された任意の適切な構造を含む。ボールピックアップモードでは、グリッパジョーは、ばねの付勢に応答してベースジョーに対して移動する。換言すれば、グリッパジョーがベースジョー（またはその公称位置）から移動されて離されるとき、ツールばねは、グリッパジョーを付勢してベースジョーに向けて移動させてその公称位置に戻し、グリッパジョーは、ツールばねの付勢に応答して、公称位置の方に移動して戻る。例えば、ツールアセンブリがゴルフボールに押し付けられるとき（例えば、ゴルフボールがベースジョーとグリッパジョーの間にあるとき）、グリッパジョーは、押されてその公称位置から離れ、ツールばねは、グリッパジョーを付勢してベースジョーに向けて移動させてボールをベースジョーとグリッパジョーとの間に固定する。
【００２３】
ボール配置モードでは、グリッパジョーは、ツールばねの付勢に抗って、ベースジョーから離間した（そしてその公称位置から離れた）位置に固定される。換言すれば、ツールばねは、グリッパジョー上に作用するか、またはグリッパジョーを付勢してベースジョーに向けて（公称位置に戻るなど）移動させるが、グリッパジョーは、ベースジョーから離間した同じ位置に留まる。例えば、ボール配置モードでは、グリッパジョーがベースジョーから離間した位置に固定され、ツールばねの付勢に応答して移動しないため、ユーザはゴルフボールを解放することができる。
【００２４】
図２〜図１２に示す例では、モードセレクタアセンブリは、ボール配置前モードおよびディボット修理モードなどのグリッパジョーの追加の作動モードを選択するように構成される。グリッパジョーは、ボール配置前モードでは、ボールピックアップモードと同じように動作し、このモードでは、グリッパジョーは、ツールばねの付勢に応答して移動するが、ベースジョーに向けたグリッパジョーの移動は、ボール配置前モードでは制限される。しかし、ボール配置前モードでは、グリッパジョーは、外側に（またはベースジョーから離れるように）移動して、ばねの付勢に抗ってゴルフボールを収容し、次いで、ばねの付勢に応じてベースジョーに向けて移動して、ベースジョーとグリッパジョーとの間にゴルフボールを固定することができる。
【００２５】
ディボット修理モードでは、グリッパジョーは、ボール配置モードと同様に、ツールばねの付勢に抗って、ベースジョーから離間した（そしてその公称位置から離れた）位置に固定される。しかし、グリッパジョーは、ディボット修復モードでは、ボール配置モードと比較して、ベースジョーからより離間される。換言すれば、グリッパジョーは、ベースジョーからさらに離れて枢動され、ツールばねの付勢に抗ってその位置に固定される。図２〜図１２に示す例では、グリッパジョーは、ベースジョーに対して約８０度から９０度であり、それによってユーザがグリッパジョーからの干渉無しに（ベースジョーがディボットツールを含む場合にディボットを修復するなどのために）ベースジョーを使用することが可能になり得る。
【００２６】
図２〜図１２に示す例では、モードセレクタアセンブリ１３２は、ケースばね１６３および突出部材１６５（ボール、ロッド、またはピンなど）を有するケース１６２と、戻り止めスライド１６４とを含む。ケース１６２は、ばねおよび突出部材を収容するように構成された、円筒形などの任意の適切な形状の少なくとも実質的に中空のシェルである。図７に示すように、ケースは、ベース１２４の開口部１６６内に受けられて、ケースをベース１２４に固定して取り付ける。換言すれば、ケースは、グリッパジョーおよび戻り止めスライドの枢軸として、固定されて保持される。以下でさらに論じるように、突出部材１６５の第１の端部はケース内に受け入れられ、突出部材の第２の端部は開口部１６６から延び、戻り止めスライド１６４の１つまたは複数の凹部内に受け入れられる。ケースばね１６３は、突出部材１６５を１つまたは複数の凹部に向けて（またはベースジョーから離れるように）付勢する。突出部材１６５およびそのばねは、「ばね懸架式ピン」、「ばねプランジャ」、または「ボールプランジャ」と呼ばれることがある。それらのケース内の適切なばね懸架式ピンの例は、ｐｉｖｏｔｐｉｎｓ．ｃｏｍで「ボールプランジャ」、およびｃａｔａｌｏｇ．ｍｏｎｒｏｅｅｎｇｉｎｅｅｒｉｎｇ．ｃｏｍで「ばねおよびボールプランジャ」と呼ばれる。
【００２７】
戻り止めスライド１６４は、グリッパジョーに枢動可能に取り付けられた端部１６８を含む。端部１６８のグリッパジョーへの枢動可能な取り付けは、図８〜図１２に示すように、グリッパジョーのベース１２４への枢動可能な取り付けに隣接しているが、これから離間されている。戻り止めスライドは、突出部材１６５および１つまたは複数の壁１７４を受け入れるようなサイズの１つまたは複数の凹部１７２を有する戻り止めベース１７０を含む。壁は、グリッパジョーの操作のための個別のエリアまたは領域を画定する。図２〜図１２に示す例では、壁１７４は、図８に示すように、第１の壁１７６と、第２の壁１７８と、第３の壁１８０とを含む。
【００２８】
第１の壁１７６は、凹部１７２の第２の領域１８４、第３の領域１８６、および第４の領域１８８から第１の領域１８２を分離する。ツールアセンブリが最初に後退位置から拡張位置に移動されると、図９に示すように、突出部材１６５は、第１の領域１８２内に受け入れられる。この領域では、グリッパジョーはボールピックアップモードにあり、このモードでは、グリッパジョーは、ツールばねの付勢に応答して移動する。第１の壁１７６は、突出部材１６５を第１の領域１８２内に維持し、および／または突出部材１６５が他の領域に入ることを防止する。
【００２９】
突出部材１６５を第１の壁１７６を越えて第２の領域１８４などの別の領域内に移動させるために、グリッパジョーを枢動させるか、または移動させてベースジョーから離すために手動または外部の力をかけなければならない。手動力は、（グリッパジョーの配向に関係なく）グリッパジョー上に作用する重力とは別に、そしてこれに加えてグリッパジョーにかけられる力である。かけられた力は、例えば、グリッパジョーをベースジョーから離れるように枢動させるために、ユーザがグリッパジョーを握ること、グリッパジョーのタングがグリッパジョーと接触し、これを外方向に移動させることを可能にするために、ゴルフボールがベースジョーとグリッパジョーとの間にあり、ゴルフボールが表面上にあるときにユーザがゴルフツールデバイスを下方に押し込むこと、またはグリッパジョーを枢動して離すためにグリッパジョーを表面に押し付けることからのものであることができる。突出部材１６５を第１の壁１７６を超えて移動させるために、ユーザは、グリッパジョーをベースジョーに対して第１の所定の角度にベースジョーから離れるように枢動させなければならない。図２〜図１２に示す例では、ユーザは、突出部材１６５を第１の壁１７６を超えて移動させるために、グリッパジョーを前記ベースジョーに対して約１０度から前記ベースジョーに対して約１８から２２度にベースジョーから離れるように枢動させなければならない。
【００３０】
手動力がグリッパジョーにかけられて、突出部材１６５を第１の壁１７６を超えて移動させたとき、突出部材１６５は、図９に示すように、第２の領域１８４内に受け入れられる。その領域では、グリッパジョーは、ボール配置前モードにあり、このモードでは、グリッパジョーは、ツールばねの付勢に応答して（ボールピックアップモードと同様に）移動するが、ベースジョーに向けたグリッパジョーの移動は、第１の壁１７６によって制限される。突出部材１６５が第１の領域内に受け入れられたときと比較して、突出部材１６５が第２の領域内に受け入れられたとき、グリッパジョーはベースジョーからより離間される。しかし、グリッパジョーは、ゴルフボールを収容するために、ツールばねの付勢に抗って外側に（またはベースジョーから離れるように）依然として枢動することができ、ゴルフボールをグリッパジョーとベースジョーとの間に固定するようにベースジョーに向けてツールばねによって依然として付勢される。
【００３１】
第１の壁１７６および第２の壁１７８は、突出部材１６５を第２の領域１８４内に維持し、および／または突出部材１６５が他の領域に入ることを防止する。グリッパジョーを、（１）突出部材１６５を第１の壁１７６を超えて第１の領域内に移動させるためにベースジョーに向けて、または（２）突出部材１６５を第２の壁１７８を超えて第３の領域内に移動させるために外方向に、もしくはベースジョーから離れるように枢動させる、手動または外部力をかけなければならない。手動力は、グリッパジョー上に（その配向に関係なく）作用する重力、そして適用可能な場合ツールばねの付勢力とは別の、そしてこれに加えた力である。換言すれば、ツールばねの付勢力およびグリッパジョー上に作用する重力の両方は、ユーザが追加の外力を加えなければ、突出部材１６５を第１の壁１７６を超えて移動させるのに十分ではない。
【００３２】
追加の力は、グリッパジョーを外方向または内方向に枢動させるためにユーザがグリッパジョーを握ること（またはユーザがグリッパジョーを表面に押し付けること）、またはグリッパジョーのタングがゴルフボールと接触し、グリッパジョーを外方向にもしくはベースジョーから離れるように移動させることを可能にするために、ゴルフボールがベースジョーとグリッパジョーとの間にあり、ゴルフボールが表面上にあるときにユーザがゴルフツールデバイスを下方向に押し込むことからのものであることができる。図２〜図１２に示す例では、ユーザは、突出部材１６５を第１の壁１７６を超えて移動させるために、グリッパジョーをベースジョーに向けて、グリッパジョーがベースジョーに対して約１８〜２０度である位置から、グリッパジョーがベースジョーに対して約１０から１２度である別の位置に枢動させなければならず、または突出部材１６５を第２の壁１７８を超えて移動させるために、グリッパジョーをベースジョーから離れるように、グリッパジョーがベースジョーに対して約２０から２４度である位置から、グリッパジョーがベースジョーに対して約４５から５０度である別の位置に枢動させなければならない。
【００３３】
手動力がグリッパジョーにかけられて、突出部材１６５を第２の壁１７８を超えて移動させたとき、突出部材１６５は、図１１に示すように、第３の領域１８６内に受け入れられる。その領域では、グリッパジョーは、ボール配置モードにあり、このモードでは、グリッパジョーは、ツールばねの付勢に抗ってベースジョーから離間されて、ユーザがゴルフボールを解放し、表面上に置いたばかりのゴルフボールから離れるようにツールアセンブリを持ち上げることを可能にする。グリッパジョーは、ボール配置モードでは、グリッパジョーがボール配置前モードにあるときと比較して、より離間される（またはベースジョーからより離される）。
【００３４】
第２の壁１７８は、突出部材１６５を第３の領域内に維持し、および／または突出部材１６５が第２の領域１８４に入ることを防止する。グリッパジョーを、（１）突出部材１６５を第２の壁１７８を超えて第２の領域内に移動させるためにベースジョーに向けて、または（２）突出部材１６５を第３のもの１８０を超えて第４の領域内に移動させるために外方向に、もしくはベースジョーから離れるように枢動させる、手動または外部力をかけなければならない。手動力は、グリッパジョー上に（その配向に関係なく）作用する重力、そして適用可能な場合ツールばねの付勢力とは別の、そしてこれに加えた力である。換言すれば、ツールばねの付勢力およびグリッパジョー上に作用する重力の両方は、ユーザが追加の外力を加えなければ、突出部材１６５を第２の壁１７８を超えて移動させるのに十分ではない。
【００３５】
追加の力は、グリッパジョーを外方向または内方向に枢動させるためにユーザがグリッパジョーを握ること（またはユーザがグリッパジョーを表面に押し付けること）、またはグリッパジョーのタングがゴルフボールと接触し、グリッパジョーを外方向にもしくはベースジョーから離れるように移動させることを可能にするために、ゴルフボールがベースジョーとグリッパジョーとの間にあり、ゴルフボールが表面上にあるときにユーザがゴルフツールデバイスを下方向に押し込むことからのものであることができる。図２〜図１２に示す例では、ユーザは、突出部材１６５を第１の壁１７６を超えて移動させるために、グリッパジョーをベースジョーに向けて、グリッパジョーがベースジョーに対して約４５から５０度である位置から、グリッパジョーがベースジョーに対して約２０から２４度である別の位置に枢動させなければならず、または突出部材１６５を第２の壁１７８を超えて移動させるために、グリッパジョーをベースジョーから離れるように、グリッパジョーがベースジョーに対して約４５から５０度である位置から、グリッパジョーがベースジョーに対して約８０から９０度である別の位置に枢動させなければならない。
【００３６】
手動力がグリッパジョーにかけられて、突出部材１６５を第３の壁１８０を超えて移動させたとき、突出部材１６５は、図１２に示すように、第４の領域１８８内に受け入れられる。その領域では、グリッパジョーはディボット修復モードにあり、このモードでは、グリッパジョーはツールばねの付勢に抗ってベースジョーから離間されて、ユーザがベースジョーを使用して、グリッパジョーの干渉を受けずに表面を修復することを可能にする。グリッパジョーは、ディボット修復モードでは、グリッパジョーがボール配置モードにあるときと比較して、より離間される（またはベースジョーからより離される）。図１２に示す例では、グリッパジョーは、ベースジョーに対して約８０から９０度である。
【００３７】
第３の壁１８０は、突出部材１６５を第４の領域内に維持し、および／または突出部材１６５が第３の領域１８４に入ることを防止する。突出部材１６５を第３の壁を越えて第３の領域内に移動させるために、グリッパをベースジョーに向けて枢動させる手動または外部力をかけなければならない。手動力は、ツールばねの付勢力と組み合わせたグリッパジョー上に（その配向に関係なく）作用する重力とは別の、そしてこれに加えた力である。換言すれば、ツールばねの付勢力およびグリッパジョー上に作用する重力の両方は、ユーザが追加の外力を加えなければ、突出部材１６５を第３の壁１８０を超えて移動させるのに十分ではない。
【００３８】
追加の力は、グリッパジョーを外方向または内方向に枢動させるためにユーザがグリッパジョーを握ること（またはユーザがグリッパジョーを表面に押し付けること）、またはグリッパジョーのタングがゴルフボールと接触し、グリッパジョーを外方向にもしくはベースジョーから離れるように移動させることを可能にするために、ゴルフボールがベースジョーとグリッパジョーとの間にあり、ゴルフボールが表面上にあるときにユーザがゴルフツールデバイスを下方向に押し込むことからのものであることができる。図２〜図１２に示す例では、ユーザは、突出部材１６５を第３の壁１８０を超えて移動させるために、グリッパジョーをベースジョーに向けて、グリッパジョーがベースジョーに対して約８０から９０度にある位置から、グリッパジョーがベースジョーに対して約４５から５０度にある別の位置に枢動させなければならない。ユーザは、次いで、上述のようにグリッパジョーをベースジョーに向けてさらに枢動させて、突出部材１６５を第２および／または第１の壁を超えて移動させることができる。
【００３９】
戻り止めスライドは、３つの壁で分離された４つの凹部を含むように示されているが、戻り止めスライドは、代替的に、（上記の例では、第２および第３の壁を有さずに第１の壁などの）単一の壁で分離された２つの凹部のみを含むこともできる。その例では、ゴルフツールデバイスは、ボールピックアップモードおよびボール配置モードのみを含む。他の例は、２つの壁（上記の例では第２の壁を有さずに第１および第３の壁など）で分離された３つの凹部のみを含むことができる。その例では、ゴルフツールデバイスは、ボールピックアップモード、ボール配置モード、およびディボット修復モードのみを含む。さらに、戻り止めスライドは複数の凹部を含むように示されるが、戻り止めスライドは、代替的または追加的に、突出部材と相互作用する突出部または頂部などの輪郭を含むことができる。さらに、戻り止めスライドは、突出部材がベースジョーに固定して取り付けられた状態でグリッパジョーと共に枢動するように示されているが、突出部材は、代替的に、グリッパジョーと共に枢動してもよく、戻り止めスライドがベースジョーに固定して取り付けられてもよい。さらに、モードセレクタアセンブリは、ばねによって懸架された突出部材を含むが、モードセレクタアセンブリは、時に、ばねを除外することもでき、突出部材が、可撓性または弾性材料で作製されてもよい。
【００４０】
Ｂ．第２の例示的なゴルフツールデバイス
図１３は、ゴルフクラブのグリップ２０２に取り付けられるか、または組み込まれた、第２の例示的なゴルフツールデバイス２００を示す。別途明記しない限り、ゴルフツールデバイス２００は、ゴルフツールデバイス１００と同じまたは同様の構成要素を含む。ゴルフツールデバイス２００は、ハウジング２０４と、セレクタアセンブリ２０６と、ハウジングに取り付けられたツールアセンブリ２０８とを含む。
ツールアセンブリ２０８は、ベース２２４と、ベースジョー２２６と、グリッパジョー２２８と、ツールばね２３０と、モードセレクタアセンブリ２３２とを含む。しかし、ツールアセンブリ１０８とは異なり、ベースジョー２２６は、ディボットツールの形態ではない（またはディボットツールを含まない）。さらに、グリッパジョー２２８は、ツールアセンブリ１０８のグリッパジョー１２８とは異なり、ボールマーカアセンブリを含まない。他の例では、ゴルフツールデバイスは、ディボットツールの形態のベースジョー２２６を有してもよく、またはボールマーカアセンブリ１４０と同じまたは同様のボールマーカアセンブリを含んでもよい。
【００４１】
Ｃ．第３の例示的なゴルフツールデバイス
図１４は、パターなどのゴルフクラブ３０４のグリップ３０２に取り付けられるか、または組み込まれ、第３の例示的なゴルフツールデバイス３００を示す。別途明記しない限り、ゴルフツールデバイス３００は、ゴルフツールデバイス１００および／または２００と同じまたは同様の構成要素を含む。ゴルフツールデバイス３００は、ハウジング３０５と、セレクタアセンブリ３０６と、ツールアセンブリ３０８とを含む。ゴルフツールデバイス１００および２００とは異なり、ゴルフツールデバイス３００のハウジング３０５は、ゴルフクラブのグリップ３０２で形成される。
【００４２】
グリップ３０２は、ユーザがセレクタアセンブリのボタンまたは他のユーザ入力デバイスにアクセスすることを可能にする第１の開口部３０９を含む。３１０で示される開口部３０９の端部は、セレクタアセンブリのボタンへのより良いアクセスを提供するためにアーチ形状の構成要素３１１を含む。さらに、グリップ３０２は、ユーザによるアクセスのためにツールアセンブリ３０８のボールマーカアセンブリを露出させる第２の開口部３１２を含む。
【００４３】
特徴の例：
このセクションは、一連の段落として制限なく提示されるゴルフツールデバイスの追加の対応および特徴を説明し、それらの一部またはすべては、明確性および効率性のために英数字で指定され得る。これらの段落のそれぞれは、１つまたは複数の他の段落、および／または、本出願の他の場所からの開示と適切な方法で組み合わせることができる。以下の段落のいくつかは、他の段落を明示的に参照し、さらに制限して、適切な組み合わせのいくつかの例を提供するが、これらに制限されない。
【００４４】
Ａ０．ゴルフツールデバイスであって、
ハウジングと、
ハウジングに取り付けられたツールアセンブリであって、
ベースジョーと、
ベースジョーに枢動可能に接続されたグリッパジョーと、
グリッパジョーに接続され、グリッパジョーをベースジョーに向けて付勢するように構成されたばねと
を含むツールアセンブリと、
モードセレクタアセンブリであって、グリッパジョーの作動を、
グリッパジョーがばねの付勢に応答して移動する第１のモードと、
グリッパジョーが、ばねの付勢に抗ってベースジョーから離間した第１の位置に固定される、第２のモードと
を含む少なくとも２つのモード間で選択的に切り替えるように構成される、モードセレクタアセンブリと
を備える、ゴルフツールデバイス。
【００４５】
Ａ１．モードセレクタアセンブリが、ばねの付勢に抗ってベースジョーから離れるようにグリッパジョーを手動で枢動させることにより、グリッパジョーの作動を第１のモードから第２のモードに切り替えるように構成される、段落Ａ０に記載のゴルフツールデバイス。
【００４６】
Ａ２．モードセレクタアセンブリが、グリッパジョーをベースジョーに向けて手動で枢動させることにより、グリッパジョーの作動を第２のモードから第１のモードに切り替えるように構成される、段落Ａ０またはＡ１に記載のゴルフツールデバイス。
【００４７】
Ａ３．ツールアセンブリが、ハウジングに移動可能に取り付けられ、ツールアセンブリの少なくともかなりの部分がハウジングによって囲まれる後退位置と、ツールアセンブリの少なくともかなりの部分がハウジングの外部にある拡張位置との間で移動するように構成される、段落Ａ０〜Ａ２のいずれかに記載のゴルフツールデバイス。
【００４８】
Ａ４．ツールアセンブリが、ハウジングに摺動可能に取り付けられ、後退位置と拡張位置との間を移動するように構成される、段落Ａ０〜Ａ３のいずれかに記載のゴルフツールデバイス。
【００４９】
Ａ５．ハウジングに摺動可能に接続され、ツールアセンブリを後退位置と拡張位置との間で移動させるように構成されたボタンをさらに備える、段落Ａ０〜Ａ４のいずれかに記載のゴルフツールデバイス。
【００５０】
Ａ６．モードセレクタアセンブリが、
グリッパジョーに枢動可能に接続された戻り止めスライドであって、複数の壁によって分離された複数の凹部を有する、戻り止めスライドと、
ベースジョーに固定して取り付けられたケースと、
ケース内に受け入れられたばねと、
ケース内に受け入れられた第１の端部と、複数の凹部の１つの凹部内に選択的に受け入れられる第２の端部とを有する突出部材と
を含む、段落Ａ０〜Ａ５のいずれかに記載のゴルフツールデバイス。
【００５１】
Ａ７．複数の凹部が、少なくとも１つの壁によって分離された第１の凹部および第２の凹部を含み、突出部材の第２の端部が第１の凹部内に受け入れられとき、グリッパジョーは第１のモードで作動する、段落Ａ６に記載のゴルフツールデバイス。
【００５２】
Ａ８．突出部材の第２の端部が第２の凹部内に受け入れられたとき、グリッパジョーは、第２のモードで作動し、少なくとも１つの壁は、ベースジョーに向けたグリッパジョーの手動移動無しに、突出部材の第２の端部が第１の凹部に移動することを防止する、段落Ａ７に記載のゴルフツールデバイス。
【００５３】
Ａ９．グリッパジョーをベースジョーに向けて手動で移動させることにより、突出部材の第２の端部は少なくとも１つの壁を越えて第１の凹部内に移動される、段落Ａ７またはＡ８に記載のゴルフツールデバイス。
【００５４】
Ａ１０．ベースジョーが、少なくとも１つのタインを有するディボットツールを含む、段落Ａ０〜Ａ９のいずれかに記載のゴルフツールデバイス。
【００５５】
Ａ１１．グリッパジョーが、第３のモードで作動可能であり、第３のモードでは、グリッパジョーは、ばねの付勢に抗ってベースジョーから離間した第２の位置に固定され、グリッパジョーは、第２の位置では、第１の位置と比較してベースジョーからより離間される、段落Ａ０〜Ａ１０のいずれかに記載のゴルフツールデバイス。
【００５６】
Ａ１２．
グリッパジョーに枢動可能に接続された戻り止めスライドであって、複数の壁によって分離された複数の凹部を有する、戻り止めスライドと、
ベースジョーに固定して取り付けられたケースと、
ケース内に受け入れられたばねと、
第１および第２の端部を有する突出部材であって、第１の端部は、ケース内に受け入れられ、第２の端部は、複数の凹部の１つの凹部内に選択的に受け入れられ、複数の凹部は、第１および第３の凹部と、第１の凹部と第３の凹部との間に配設された第２の凹部とを含み、第１、第２および第３の凹部のそれぞれは、１つまたは複数の壁によって第１、第２および第３の凹部の他の１つから分離される、突出部材と
を更に含む、段落Ａ１１に記載のゴルフツールデバイス。
【００５７】
Ａ１３．ロッドの第２の端部が第１の凹部内に受け入れられたとき、グリッパジョーは第１のモードで作動し、ロッドの第２の端部が第２の凹部内に受け入れられたとき、グリッパジョーは第２のモードで作動し、１つまたは複数の壁の１つの壁は、ベースジョーに向けたグリッパジョーの手動移動無しに、ロッドの第２の端部が第１の凹部まで移動することを防止する、段落Ａ１２に記載のゴルフツールデバイス。
【００５８】
Ａ１４．ロッドの第２の端部が第３の凹部内に受け入れられたとき、グリッパジョーは第３のモードで作動し、１つまたは複数の壁の１つの壁は、ベースジョーに向けたグリッパジョーの手動移動無しに、ロッドの第２の端部が第２の凹部まで移動することを防止する、段落Ａ１２またはＡ１３に記載のゴルフツールデバイス。
【００５９】
Ａ１５．ロッドの第２の端部が第３の凹部内に受け入れられたとき、グリッパジョーをベースジョーに向けて手動で移動させることにより、ロッドの第２の端部は第２の凹部と第３の凹部との間の壁を超えて第２の凹部内に移動される、段落Ａ１２〜Ａ１４のいずれかに記載のゴルフツールデバイス。
【００６０】
Ａ１６．グリッパジョーをベースジョーに向けて手動でさらに移動させることにより、ロッドの第２の端部は第１の凹部と第２の凹部との間の壁を超えて第１の凹部内に移動される、段落Ａ１２〜Ａ１５のいずれかに記載のゴルフツールデバイス。
【００６１】
Ａ１７．グリッパジョーが、少なくとも１つのボールマーカを取り外し可能に受け入れるように構成されたスロットを含む、段落Ａ０〜Ａ１６のいずれかに記載のゴルフツールデバイス。
【００６２】
Ａ１８．グリッパジョーが、少なくとも１つのボールマーカの１つのボールマーカの一部のみを受け入れるように構成された開口を含む、段落Ａ１７に記載のゴルフツールデバイス。
【００６３】
Ａ１９．ボールマーカが金属製であり、グリッパジョーの端部が、ボールマーカを引き付けるように構成された少なくとも１つの磁石を含む、段落Ａ１７またはＡ１８のいずれかに記載のゴルフツールデバイス。
【００６４】
Ａ２０．ハウジングが、ゴルフクラブシャフトの一部を受け入れるようなサイズの中空中央部分を含む、段落Ａ０からＡ１９のいずれかに記載のゴルフツールデバイス。
【００６５】
Ａ２１．ハウジングが、ゴルフクラブのグリップに取り付けられる、段落Ａ０〜Ａ２０のいずれかに記載のゴルフツールデバイス。
【００６６】
Ｂ０．ゴルフクラブであって、
グリップと、
反対側の第１および第２の端部を有するシャフトであって、第１の端部は、グリップ内に受け入れられる、シャフトと、
シャフトの第２の端部に取り付けられたクラブヘッドと、
グリップに取り付けられるか、または組み込まれるツールアセンブリであって、
ベースジョーと、
ベースジョーに枢動可能に接続されたグリッパジョーと、
グリッパジョーに接続され、グリッパジョーをベースジョーに向けて付勢するように構成されたばねと
を含む、ツールアセンブリと、
モードセレクタアセンブリであって、グリッパジョーの作動を、
グリッパジョーがばねの付勢に応答してベースジョーに対して移動する第１のモードと、
グリッパジョーが、ばねの付勢に抗ってベースジョーから離間した第１の位置に固定される、第２のモードと
を含む少なくとも２つのモード間で選択的に切り替えるように構成される、モードセレクタアセンブリと
を備える、ゴルフクラブ。
【００６７】
Ｂ１．ツールアセンブリが、グリップに移動可能に取り付けられ、ツールアセンブリの少なくともかなりの部分がグリップによって囲まれる後退位置と、ツールアセンブリの少なくともかなりの部分がグリップの外部にある拡張位置との間で移動するように構成される、段落Ｂ０に記載のゴルフクラブ。
【００６８】
Ｂ２．ツールアセンブリが、グリップに摺動可能に取り付けられ、後退位置と拡張位置との間を移動するように構成される、段落Ｂ１に記載のゴルフクラブ。
【００６９】
Ｂ３．グリップに摺動可能に接続され、ツールアセンブリを後退位置と拡張位置との間で移動させるように構成されたボタンをさらに備える、段落Ｂ２に記載のゴルフクラブ。
【００７０】
Ｂ４．グリッパジョーが、少なくとも１つのボールマーカを取り外し可能に受け入れるように構成されたスロットを含む、段落Ｂ０〜Ｂ３のいずれかに記載のゴルフクラブ。
【００７１】
Ｂ５．グリッパジョーが、少なくとも１つのボールマーカの１つのボールマーカの一部のみを受け入れるように構成された開口を含む、段落Ｂ４に記載のゴルフクラブ。
【００７２】
Ｂ６．ボールマーカが金属製であり、グリッパジョーの端部が、ボールマーカを引き付けるように構成された少なくとも１つの磁石を含む、段落Ｂ５に記載のゴルフクラブ。
【００７３】
Ｂ７．ツールアセンブリが、グリップに移動可能に取り付けられ、ツールアセンブリの少なくともかなりの部分がグリップによって囲まれる後退位置と、ツールアセンブリの少なくともかなりの部分がグリップの外部にある拡張位置との間で移動するように構成される、段落Ｂ６に記載のゴルフクラブ。
【００７４】
Ｂ８．グリップが、ツールアセンブリが後退位置にあるときにユーザがスロットにアクセスすることを可能にするサイズの開口を含む、段落Ｂ７に記載のゴルフクラブ。
【００７５】
Ｃ．ゴルフツールデバイスであって、
ハウジングと、
ハウジングに取り付けられたツールアセンブリであって、
ベースジョーと、
ベースジョーに枢動可能に接続されたグリッパジョーと、
グリッパジョーに接続され、グリッパジョーをベースジョーに向けて付勢するように構成されたばねとを含む、ツールアセンブリと、
グリッパジョーを、
グリッパジョーがばねの付勢に応答してベースジョーに対して移動する第１のモードと、
グリッパジョーが、ばねの付勢に抗ってベースジョーから離間した位置に固定される、第２のモードと
を含む少なくとも２つのモード間で切り替えるための手段と
を備える、ゴルフツールデバイス。
【００７６】
Ｄ０．ゴルフクラブグリップツールアセンブリであって、
少なくとも１つのタインを有するディボットツールと、
ディボットツールに枢動可能に接続され、弓状部分を有するグリッパジョーと、
グリッパジョー上に配設されたスロットを含むボールマーカツールと、
グリッパジョーを閉位置に付勢するばねとを備え、
グリッパジョーは、ヒンジの周りでディボットツールに対して枢動可能であり、それにより、グリッパジョーは開き、ゴルフボールを取り囲み、ゴルフボールをディボットツールに付勢するように作動可能であり、
ゴルフクラブグリップツールアセンブリは、格納位置と展開位置との間で移行可能であり、解放ボタンは、ゴルフクラブグリップツールアセンブリを格納位置および展開位置の少なくとも１つ内にロックするように作動可能であり、
グリッパジョーは、少なくとも２つのモードで作動可能であり、
第１のモードは、ボールピックアップモードであり、このモードでは、グリッパジョーはゴルフボール周りで閉じ、第２のモードは、ボール配置モードであり、このモードでは、グリッパジョーがゴルフボールに押し付けられたとき、グリッパジョーはばねの付勢に抗って開いたままである、ゴルフクラブグリップツールアセンブリ。
【００７７】
Ｄ１．ゴルフクラブグリップツールアセンブリが、クラブのグリップ内に組み込まれる、段落Ｄ０に記載のゴルフクラブグリップツールアセンブリ。
【００７８】
Ｄ２．解放ボタンの少なくとも一部が、グリップの外部からアクセス可能である、段落Ｄ１に記載のゴルフクラブグリップツールアセンブリ。
【００７９】
Ｄ３．ゴルフクラブグリップツールアセンブリが、クラブのグリップに取り付けられる、段落Ｄ０に記載のゴルフクラブグリップツールアセンブリ。
【００８０】
Ｄ４．ゴルフクラブグリップツールアセンブリの１つまたは複数の他の構成要素を囲む外側シェルをさらに備える、段落Ｄ３に記載のゴルフクラブグリップツールアセンブリ。
【００８１】
Ｄ５．外側シェルが、着脱可能である、段落Ｄ４に記載のゴルフクラブグリップツールアセンブリ。
【００８２】
Ｄ６．外側シェルが、ゴルフクラブグリップツールアセンブリの１つまたは複数の他の構成要素を外側シェルが囲む拡張位置と、１つまたは複数の構成要素の少なくとも１つの構成要素が露出される後退位置との間で移動するように構成される、段落Ｄ４に記載のゴルフクラブグリップツールアセンブリ。
【００８３】
Ｄ７．グリッパジョーおよびディボットツールが、格納位置で外側カバー内にあり、グリッパジョーおよびディボットツールが、展開位置で外側カバーから延びる、段落Ｄ４に記載のゴルフクラブグリップツールアセンブリ。
【００８４】
Ｄ８．１つまたは複数のボールマーカを保管するように構成されたボールマーカディスペンサツールをさらに備える、段落Ｄ０〜Ｄ７のいずれかに記載のゴルフクラブグリップツールアセンブリ。
【００８５】
Ｄ９．少なくとも２つのモード間でグリッパジョーを移行させるように作動可能な戻り止めボタンをさらに備える、段落Ｄ〜Ｄ８のいずれかに記載のゴルフクラブグリップツールアセンブリ。
【００８６】
Ｄ１０．少なくとも２つのモード間でグリッパジョーを移行させるためのプランジャおよび戻り止めスライドをさらに備える、段落Ｄ〜Ｄ８のいずれかに記載のゴルフクラブグリップツールアセンブリ。
【００８７】
Ｄ１１．戻り止めスライドが、複数の輪郭を含み、プランジャが、少なくとも２つのモード間でグリッパジョーを移行させるために複数の輪郭と係合するように構成されたノーズを含む、段落Ｄ１０に記載のゴルフクラブグリップツールアセンブリ。
【００８８】
Ｄ１２．プランジャが、ノーズが複数の輪郭と係合するときにノーズを戻り止めスライドに向けて付勢するように構成されたばねを含む、段落Ｄ１１に記載のゴルフクラブグリップツールアセンブリ。
【００８９】
Ｄ１３．戻り止めスライドが、グリッパジョーに取り付けられ、グリッパジョーと共に枢動する、段落Ｄ１１〜Ｊ１２のいずれかに記載のゴルフクラブグリップツールアセンブリ。
【００９０】
Ｄ１４．ゴルフクラブグリップツールアセンブリが格納位置にあるとき、グリッパジョーおよびディボットツールを少なくとも部分的に受け入れるように構成された本体をさらに備え、プランジャは、本体に固定して取り付けられ、ノーズは、ゴルフクラブグリップツールアセンブリが展開位置にあるとき、戻り止めスライドの複数の輪郭と係合するように構成される、段落Ｄ１１〜Ｄ１３のいずれかに記載のゴルフクラブグリップツールアセンブリ。
【００９１】
Ｄ１５．ユーザが、グリッパジョー自体を移動させて、グリッパジョーを少なくとも２つのモード間で移行させることができる、段落Ｄ１０〜Ｄ１４のいずれかに記載のゴルフクラブグリップツールアセンブリ。
【００９２】
Ｄ１６．グリッパジョーが、少なくとも３つのモード間で移行される、段落Ｄ〜Ｄ１５のいずれかに記載のゴルフクラブグリップツールアセンブリ。
【００９３】
ゴルフツールデバイスの作動
ゴルフボールが表面上にあるとき、ゴルフツールデバイスのツールアセンブリは、拡張位置に移動することができ、ベースジョーおよびグリッパジョーは、図１５に示すようにゴルフボールの間および上部に配置され得る。ユーザは、下方向の力をかけて、グリッパジョーをベースジョーから離れるようにゴルフボール周りで枢動させて、ゴルフボールを収容することができる。図１６に示すように、ツールばねは、グリッパジョーをベースジョーに向けて付勢して、ゴルフボールをグリッパジョーとベースジョーとの間に固定する。ユーザは、次に、ゴルフツールデバイスを持ち上げて、ゴルフボールをピックアップし、取得することができる。
【００９４】
図１６に示すように、ユーザがゴルフボールを表面上に配置することを望むとき、ユーザは、ゴルフボールをグリッパジョーとベースジョーとの間に（ツールばねがグリッパジョーをベースジョーに向けて付勢している状態で）挿入し、次いで、ゴルフツールデバイスを下げてゴルフボールを表面上に置く。ゴルフボールが表面上の所望の位置になると、図１７に示すように、ユーザは、例えば、ボールがグリッパジョーのタングに接触し、グリッパジョーを外方向に移動させるようにゴルフツールデバイスを下方向に押し込むことにより、またはグリッパジョーを表面上に押し込むことにより、グリッパジョーを外方向に（またはベースジョーから離れるように）押す。グリッパジョーは、次に、ボール配置モードに移動され、このモードでは、グリッパジョーは、ツールばねの付勢に抗ってベースジョーから離間されたままである。ユーザは、次に、ゴルフツールデバイスを持ち上げてゴルフボールから離す。ユーザは、グリッパジョーをベースジョーに向けてボール配置モードからボール配置前モードおよびボールピックアップモードに枢動させ、次いで、ゴルフツールデバイスを後退位置に移動させることができる。
【００９５】
ユーザが表面上にボールマーカを配置することを望む（かつゴルフツールデバイスがボールマーカを含む）とき、ユーザは、グリッパジョーのスロットからボールマーカを取得し、グリッパジョーの開口内にボールマーカを配置することができる。次に、ゴルフツールデバイスを下げて、図１８に示すように、ボールマーカを表面上の所望の位置に配置する。ボールマーカが配置されると、ユーザは、ゴルフツールデバイスをボールマーカから離れるように移動させる。ユーザが表面からボールマーカをピックアップすることを望むとき、ユーザは、グリッパジョーの端部がボールマーカに隣接するようにゴルフツールデバイスを下げる。図１９に示すように、グリッパジョーの端にある磁石が、ボールマーカを引き付けて表面からボールマーカをピックアップする。
【００９６】
ユーザがゴルフツールデバイスのディボットツールを使用して表面を修復することを望むとき、ユーザは、ゴルフデバイスを拡張位置に移動させ、次いで、グリッパジョーをベースジョーから離れるように手動で枢動させて、グリッパジョーをディボット修復モードに移動させることができる。ユーザは、次いで、ベースジョー／ディボットツールを表面まで下げ、その表面を修復する。ゴルフツールデバイスを保管するために、ユーザは、グリッパジョーをベースジョーに向けて、ディボット修復モードからボール配置モード、ボール配置前モード、そしてボールピックアップモードに枢動させ、その後ゴルフツールデバイスを後退位置に移動させることができる。
【００９７】
結論
上記の開示は、独立した有用性を有する複数の異なる例を包含し得る。これらのそれぞれはその好ましい形態で開示されてきたが、本明細書で開示および図示するその特定の実施形態は、多数の変形が可能であるので、制限的な意味で考慮されるものではない。セクション見出しがこの開示内で使用されている限り、そのような見出しは編成目的のみに使用される。本開示の主題は、本明細書に開示する様々な要素、特徴、機能、および／または特性のすべての新規かつ非自明な組み合わせおよびサブ組み合わせを含む。機能、機能、要素、および／または特性のその他の組み合わせおよび副組み合わせは、このアプリケーションまたは関連するアプリケーションからの優先権を主張する出願において特許請求され得る。そのような請求項は、元の請求項の範囲よりも広い、狭い、等しい、または異なる場合でも、本開示の主題に含まれると見なされる。
【図１】
2021503362.tif 000003
【図２】
2021503362.tif 000004
【図３】
2021503362.tif 000005
【図４】
2021503362.tif 000006
【図５】
2021503362.tif 000007
【図６】
2021503362.tif 000008
【図７】
2021503362.tif 000009
【図８】
2021503362.tif 000010
【図９】
2021503362.tif 000011
【図１０】
2021503362.tif 000012
【図１１】
2021503362.tif 000013
【図１２】
2021503362.tif 000014
【図１３】
2021503362.tif 000015
【図１４】
2021503362.tif 000016
【図１５】
2021503362.tif 000017
【図１６】
2021503362.tif 000018
【図１７】
2021503362.tif 000019
【図１８】
2021503362.tif 000020
【図１９】
2021503362.tif 000021
【図２０】
2021503362.tif 000022
【国際調査報告】
2021503362.tif 000023
2021503362.tif 000024